(57)【特許請求の範囲】
【請求項１】
シートバック(2) が、前倒可能なシートバック本体(3) と両側のサイドシート(4) 、(5) とよりなる車輌用シートであって、前記した両側のサイドシート(4) 、(5) がシートバック本体(3) の下部両側に設置される下部サイドシート(4b)、(5b)と上部サイドシート(4a)、(5a)との上下２部材に分割されており、この上部サイドシート(4a)、(5a)は、下部サイドシート(4b)、(5b)上にあってシートバック本体(3) とともに大人用の背凭れを構成する正常状態と、前倒しされて背面が尻載せ面とされたシートバック本体(3) の後部上に内側面同志を突き合わせて配置されて両者により幼児用背凭れを構成する状態の２態様に変換できるように移動自在に連繋してあることを特徴とする車輌用シート。
【請求項２】
上部サイドシート(4a)、(5a)は、背面側でリンク(6) により移動自在に車体側に連繋されて、大人用の背凭れを構成している正常状態と、幼児用背凭れを構成する状態の２態様に変換できるようにしてある請求項１に記載の車輌用シート。
【請求項３】
前倒しされて背面が尻載せ面とされたシートバック本体(3) の後部上方に移動された上部サイドシート(4a)、(5a)の頂部が、ヘッドレスト(20)により連結固定されている請求項１または２に記載の車輌用シート。
【請求項４】
下部サイドシート(4b)、(5b)のいずれか一方または双方を中空としてその上面の開口(8) を通じて内部に物品を収納できる収納用ボックスとしてある請求項１または２または３に記載の車輌用シート。
【請求項５】
上部サイドシート(4a)、(5a)の側面に収納用ポケット(9) を形成してある請求項１または２または３に記載の車輌用シート。
【請求項６】
前倒しされたシートバック本体(3) が、サポートブラケット(7a)とシートクッション(1) 間に固定用ベルト(10)で連結固定できるものとしてある請求項１または２または３に記載の車輌用シート。
【発明の詳細な説明】
【０００１】
【発明の属する技術分野】
本発明は、シートバックの一部を利用して必要時にのみ簡単な操作で幼児の体型に対応した十分なクッション性を有する幼児用シートを得ることができる車輌用シートに関するものである。
【０００２】
【従来の技術】
従来、車輌用シートに幼児を安全に着座させるには特別なチャイルドシートをシート上にシートベルト等を介して装着し、これに幼児を着座させるのが普通であるが、チャイルドシートの着脱操作が面倒であるとともに装着後は幼児以外の人が座ることができず邪魔になるという問題点があり、また、チャイルドシートを準備していない時には幼児を安全に着座させることができないという問題点があった。
【０００３】
そこで最近では、例えば特開昭５９−１５６８３６号公報や実開昭６３−８０２２７号公報等にあるように、シートクッションやシートバック等の一部を利用して簡単な操作で必要時にのみ幼児用シートクッションを得ることができる車輌用シートが種々提案されている。ところが、この種車輌用シートにおいては、幼児用シートクッションとした場合にシートバックの厚みを十分に確保することができずクッション性に劣るというという問題点があった。
【０００４】
【発明が解決しようとする課題】
本発明は上記のような従来の問題点を解決して、必要時に簡単な操作によって即座に通常のシートから幼児用シートクッションに切り換えることができるとともに、通常使用時においても快適な乗り心地を確保することができ、また幼児用シートとした場合にもシートバックの厚みを十分に確保することができて優れたクッション性を発揮することができる車輌用シートを提供することを目的として完成されたものである。
【０００５】
【課題を解決するための手段】
上記の課題を解決するためになされた本発明の車輌用シートは、シートバックが、前倒可能なシートバック本体と両側のサイドシートとよりなる車輌用シートであって、前記した両側のサイドシートがシートバック本体の下部両側に設置される下部サイドシートと上部サイドシートとの上下２部材に分割されており、この上部サイドシートは、下部サイドシート上にあってシートバック本体とともに大人用の背凭れを構成する正常状態と、前倒しされて背面が尻載せ面とされたシートバック本体の後部上に内側面同志を突き合わせて配置されて両者により幼児用背凭れを構成する状態の２態様に変換できるように移動自在に連繋してあることを特徴とするものである。
【０００６】
【発明の実施の形態】
以下に、図面を参照しつつ本発明の好ましい実施の形態を示す。
図面は、シートクッションとシートバックとからなる自動車用リヤシートに適用した場合を示すものであって、図中１はシートクッション、２はシートバック、２０はヘッドレストであり、以上の構成は従来のこの種の車輌用シートと基本的に同じである。
【０００７】
シートバック２は前倒可能なシートバック本体３の両側に前倒不能なドア側のサイドシート４と内側のサイドシート５を続かせたものの２組を並列したものとして各内側のサイドシート５、５が常時はシートバックセンターを構成している。そして、前記した全てのサイドシート４、５はいずれも前面が弧状の弾性支持面のもので、しかも、上下２部材に分割されていてその下側の分割体である下部サイドシート４ｂ、５ｂはシートバック本体３の下部両側においてベース上に設置され、一方、上側の分割体である上部サイドシート４ａ、５ａは正常時は下部サイドシート４ｂ、５ｂ上に連設されてシートバック本体３とともに大人用の背凭れを構成しているが、シートバック本体３を前倒しして背面を尻載せ面とした状態でこのシートバック本体３の後部上に移動させて内側面同志を突き合わせると、両者により幼児用背凭れが構成された状態に変換できるようになっている。すなわち、上部サイドシート４ａ、５ａは、背面側でリンク機構により下部サイドシート４ｂ、５ｂ上にから前倒しされたシートバック本体３の後部上に移動自在となるよう車体側に連繋されている。
【０００８】
前記リンク機構としては、図２〜図３に示されるように、上部サイドシート４ａ、５ａとを背面側において上下、左右各々１本からなる合計２本のリンク６でパッケージトレイおよびリヤシート下部に連結することによりボディ側に連結され、該リンク６の回動によって前方側に容易に回動できるものとされている。そして、前倒しされたシートバック本体３の後部上に移動した上部サイドシート４ａ、５ａはその頂部に予め設けてあるステー嵌合孔７に両ステーを差し込んだヘッドレスト２０による差し込み支持によって連結固定されるように構成されている。なお、必要に応じてストッパー６ａを設けることにより各リンク６の回動を規制し、固定状態をより安定させることもできる。
【０００９】
また、図１に示されるように、前記下部サイドシート４ｂ、５ｂのいずれか一方または双方の上面は開口８とされていてこの下部サイドシートを収納用ボックスとして供されるよう構成されており、小物等の保管に便利なようになっている。更には、上部サイドシート４ａ、５ａの側面にもネット等で構成された収納用ポケット９が形成され、前記収納用ボックスと合せ多数の収納部が形成されている。
【００１０】
なお、前倒しされたシートバック本体３は、ヘッドレストのステー嵌合孔７に取り付けられたサポートブラケット７ａとシートクッション１との間に革製の固定用ベルト１０を連結し固定するよう構成されており、幼児用シートとして使用した場合の上下方向の規制し安全性を高めるよう構成されている。また、この固定用ベルト１０はシートバック本体３を前倒しする際のアシストグリップとしての役割を果たすこともできるものである。
【００１１】
このように構成されたものは、通常は図４に示されるように、シートバック本体３の両側にサイドシート４、５が連設されてシートバック２が一体的に形成され、通常の車輌用シートと同様の外観を呈するとともに一般成人用シートとして使用されるものであり、この場合、シートバック２は標準シートと同様の構造で優れた乗り心地を得ることができるものである。
一方、乳幼児を乗せる場合には、図１〜図３に示されるように、シートバック本体３の頂部からヘッドレスト２０を抜き外した後、シートバック本体３を前倒して背面を尻載せ面とし、次に、上部サイドシート４ａ、５ａを前倒しされたシートバック本体３の後部上まで回動させて内側面同志が突き合わせ状となるように移動させてシートバック本体３上に幼児用背凭れを形成する。更に、この背凭れに先に外したヘッドレスト２０の両ステーをステー嵌合孔７に挿入することにより上部サイドシート４ａ、５ａを連結・固定する。このように、簡単な操作でシートバック本体３の厚み分だけ高い着座面と、リンク６の分だけ前方側へ前出しされた状態の背凭れを形成することができ、この結果、幼児の体型に対応した幼児用シートクッションを容易に形成することができることとなる。また、特に、背凭れは上部サイドシート４ａ、５ａを利用しているので十分に厚みがありクッション性に優れたものとなる。更に、この状態では前記下部サイドシート４ｂ、５ｂはそのいずれか一方または双方の上面が開口８とされて収納用ボックスとして供されるよう構成されており、また、上部サイドシート４ａ、５ａの側面にもネット等で構成された収納用ポケット９が形成されているので、小物等の保管が容易に行えることとなる。
【００１２】
【発明の効果】
以上の説明からも明らかなように、本発明は必要時に簡単な操作によって即座に通常のシートから幼児用シートクッションに切り換えることができるとともに、通常使用時においても快適な乗り心地を確保することができ、また、幼児用シートとした場合にもシートバックの厚みを十分に確保することができて優れたクッション性を発揮することができるものである。
よって本発明は従来の問題点を一掃した車輌用シートとして、産業の発展に寄与するところは極めて大である。
【図面の簡単な説明】
【図１】本発明の実施の形態において幼児用シートに組み立てた状態を示す斜視図である。
【図２】図１の要部を示す側面図である。
【図３】上部サイドシートおよび上部シートバックセンターを前方側へ回動する状態を示す平面図である。
【図４】本発明の実施の形態において車輌用シートとして使用している通常状態を示す斜視図である。
【符号の説明】
１  シートクッション
２  シートバック
３  シートバック本体
４  ドア側のサイドシート
4a  上部サイドシート
4b  下部サイドシート
５  内側のサイドシート
5a  上部サイドシート
5b  下部サイドシート
６  リンク
7a  サポートブラケット
８  開口部
９  収納用ポケット
10  固定用ベルト
20  ヘッドレスト
【図１】
0003695620.tif 000002
【図２】
0003695620.tif 000003
【図３】
0003695620.tif 000004
【図４】
0003695620.tif 000005